(57)【要約】【課題】スピン等の影響を受けない低周波数領域の車両運動の横方向の成分と車両の姿勢角の影響との関係からロール角を推定する。【解決手段】各輪の車輪速度に基づいて前後車体速度を推定する推定手段１０、前後車体速度の推定値、及び検出された車両運動の前後加速度の検出値に基づいて、ピッチ角を推定する推定手段１６、前後車体速度の推定値、ピッチ角の推定値、並びに検出された車両運動の横加速度及び車両運動のヨー角速度の各検出値に基づいて、車両の姿勢角に応じて生じる横加速度状態量の偏差を演算する偏差演算手段１８、横加速度状態量の偏差を表す信号から着目すべき運動に対応する信号のみを通過させる処理を行うローパスフィルタ２０、ローパスフィルタ処理後の横加速度状態量の偏差を表す信号、ピッチ角の推定値、並びに検出されたヨー角速度及びロール角速度の各検出値に基づいて、ロール角を推定する推定手段２２を備えている。【選択図】図１
2008094375.tif 000002
【特許請求の範囲】
【請求項１】
各輪の車輪速度に基づいて車両前後方向の車体速度である前後車体速度を推定する前後車体速度推定手段と、
前記前後車体速度の推定値、及びセンサで検出された車両運動の前後加速度の検出値に基づいて、ピッチ角を推定するピッチ角推定手段と、
前記前後車体速度の推定値、前記ピッチ角の推定値、並びにセンサで検出された車両運動の横加速度及び車両運動のヨー角速度の各検出値に基づいて、車両の姿勢角に応じて生じる横加速度状態量の偏差を演算する横加速度状態量偏差演算手段と、
前記横加速度状態量の偏差を表す信号から着目すべき運動に対応する信号のみを通過させる処理を行うローパスフィルタと、
前記ローパスフィルタ処理後の横加速度状態量の偏差を表す信号、前記ピッチ角の推定値、並びにセンサで検出されたヨー角速度及びロール角速度の各検出値に基づいて、車両物理量としての姿勢角であるロール角を推定する姿勢角推定手段と、
を含む車両物理量推定装置。
【請求項２】
前記横加速度状態量の偏差を、前記ヨー角速度の検出値と前後車体速度の推定値との積から前記横加速度の検出値を減算した値とした請求項１記載の車両物理量推定装置。
【請求項３】
前記前後車体速度の推定値、前記ピッチ角の推定値、センサで検出された車両運動の横加速度及び車両運動のヨー角速度の各検出値、前記姿勢角推定手段によって推定されたロール角の推定値、並びにセンサで検出された操舵角の検出値に基づいて、車両物理量としての車体スリップ角を推定するスリップ角推定手段を更に含む請求項１または請求項２記載の車両物理量推定装置。
【請求項４】
前記ピッチ角推定手段は、前回推定されたピッチ角の推定値、センサで検出された車両運動の横加速度、センサで検出された車両運動の上下加速度、及び前記姿勢角推定手段で推定されロール角の推定値を更に加え、前記前後車体速度の推定値、センサで検出された車両運動の前後加速度、車両運動の横加速度、及び車両運動の上下加速度の各検出値、前記前回推定されたピッチ角の推定値、並びに前記ロール角の推定値に基づいて、ピッチ角を推定する請求項１〜請求項３のいずれか１項記載の物理量推定装置。
【請求項５】
前記ピッチ角推定手段は、前回推定されたピッチ角の推定値、センサで検出された車両運動の横加速度、センサで検出された車両運動の上下加速度、前記姿勢角推定手段で推定されロール角の推定値、車体横速度の推定値、及びセンサで検出されたヨー角速度を更に加え、前後車体速度の推定値、センサで検出された車両運動の前後加速度、車両運動の横加速度、車両運動の上下加速度、ヨー角速度の各検出値、前記前回推定されたピッチ角の推定値、前記ロール角の推定値、並びに前記車体横速度の推定値に基づいて、ピッチ角を推定する請求項１〜請求項３のいずれか１項記載の物理量推定装置。
【請求項６】
横加速度状態量偏差演算手段は、センサで検出された車両運動の前後加速度、及びセンサで検出された車両運動の上下加速度を更に加え、前記前後車体速度の推定値、前記ピッチ角の推定値、並びに前記車両運動の前後加速度、前記車両運動の横加速度、前記車両運動の上下加速度、及び前記車両運動のヨー角速度の各検出値に基づいて、車両の姿勢角に応じて生じる横加速度状態量の偏差を演算する請求項１〜請求項５のいずれか１項記載の車両物理量推定装置。
【請求項７】
前記前後加速度、前記横加速度、前記ロール角速度、及び前記ヨー角速度を検出するセンサを更に含む請求項１〜請求項３のいずれか１項記載の車両物理量推定装置。
【請求項８】
前記前後加速度、前記横加速度、前記上下加速度、前記ロール角速度、及び前記ヨー角速度を検出するセンサを更に含む請求項１〜請求項６のいずれか１項記載の車両物理量推定装置。
【請求項９】
コンピュータを、
各輪の車輪速度に基づいて車両前後方向の車体速度である前後車体速度を推定する前後車体速度推定手段と、
前記前後車体速度の推定値、及びセンサで検出された車両運動の前後加速度の検出値に基づいて、ピッチ角を推定するピッチ角推定手段と、
前記前後車体速度の推定値、前記ピッチ角の推定値、並びにセンサで検出された車両運動の横加速度及び車両運動のヨー角速度の各検出値に基づいて、車両の姿勢角に応じて生じる横加速度状態量の偏差を演算する横加速度状態量偏差演算手段と、
前記横加速度状態量の偏差を表す信号から着目すべき運動に対応する信号のみを通過させる処理を行うローパスフィルタと、
前記ローパスフィルタ処理後の横加速度状態量の偏差を表す信号、前記ピッチ角の推定値、並びにセンサで検出されたヨー角速度及びロール角速度の各検出値に基づいて、車両物理量としての姿勢角であるロール角を推定する姿勢角推定手段と、
して機能させるためのプロブラム。
【請求項１０】
前記前後車体速度の推定値、前記ピッチ角の推定値、センサで検出された車両運動の横加速度及び車両運動のヨー角速度の各検出値、前記姿勢角推定手段によって推定されたロール角の推定値、並びにセンサで検出された操舵角の検出値に基づいて、車両物理量としての車体スリップ角を推定するスリップ角推定手段を更に含む請求項９記載のプログラム。
【請求項１１】
前記横加速度状態量の偏差を、前記ヨー角速度の検出値と前後車体速度の推定値との積から前記横加速度の検出値を減算した値とした請求項９または請求項１０記載のプログラム。
【請求項１２】
前記ピッチ角推定手段は、前回推定されたピッチ角の推定値、センサで検出された車両運動の横加速度、センサで検出された車両運動の上下加速度、及び前記姿勢角推定手段で推定されロール角の推定値を更に加え、前記前後車体速度の推定値、センサで検出された車両運動の前後加速度、車両運動の横加速度、及び車両運動の上下加速度の各検出値、前記前回推定されたピッチ角の推定値、並びに前記ロール角の推定値に基づいて、ピッチ角を推定する請求項９〜請求項１１のいずれか１項記載のプログラム。
【請求項１３】
前記ピッチ角推定手段は、前回推定されたピッチ角の推定値、センサで検出された車両運動の横加速度、センサで検出された車両運動の上下加速度、前記姿勢角推定手段で推定されロール角の推定値、車体横速度の推定値、及びヨー角速度を更に加え、前後車体速度の推定値、センサで検出された車両運動の前後加速度、車両運動の横加速度、車両運動の上下加速度、ヨー角速度の各検出値、前回推定されたピッチ角の推定値、ロール角の推定値、並びに車体横速度の推定値に基づいて、ピッチ角を推定する請求項９〜請求項１１のいずれか１項記載のプログラム。
【請求項１４】
横加速度状態量偏差演算手段は、センサで検出された車両運動の前後加速度、及びセンサで検出された車両運動の上下加速度を更に加え、前記前後車体速度の推定値、前記ピッチ角の推定値、並びに前記車両運動の前後加速度、前記車両運動の横加速度、前記車両運動の上下加速度、及び前記車両運動のヨー角速度の各検出値に基づいて、車両の姿勢角に応じて生じる横加速度状態量の偏差を演算する請求項９〜請求項１３のいずれか１項記載のプログラム。
【発明の詳細な説明】
【技術分野】
【０００１】
本発明は、車両物理量推定装置及びプログラムにかかり、特に、車両物理量としての鉛直軸に対する車両の姿勢角であるロール角または車体スリップ角を推定する車両物理量推定装置及びプログラムに関する。
【背景技術】
【０００２】
剛体運動の加速度及び角速度とオイラー角で記述される車両の姿勢角との関係は、非特許文献１等で知られており、この関係に基づいて積分演算を行うことによって、車両の姿勢角を導出することができる。しかしながら、単純な積分演算ではセンサドリフト誤差が蓄積されて正確な姿勢角を導出することはできない。このような積分演算での誤差の蓄積を回避するためには、他のセンサ信号の出力と比較し、略一致させるように出力を補正するオブザーバを構成する必要がある。
【０００３】
このような補正法を用いて自動車の加速度信号、及び角速度信号から姿勢角を推定する従来技術としては、車体固定軸上の重力加速度ベクトルを地面固定座標上のベクトルに変換し、地面固定座標での重力加速度ベクトル［０，０，１］（単位Ｇ）と比較することによって姿勢角の誤差を推定し、この誤差に基づいて姿勢角の補正を行う技術が知られている（特許文献１）。
【０００４】
また、車体横速度に対応する車体スリップ角を推定する従来技術としては、車速とヨー角速度との積から横加速度を減算して差を求め、さらにこの差と車両運動モデルから演算される推定横速度変化率との和をカント推定値とし、このカント推定値の低周波数成分を路面カント成分として補正することによって、路面カントの影響を受けないスリップ角推定手法が知られている（特許文献２）。
【非特許文献１】航空機力学入門（Ｐ１２、加藤、大屋、柄沢：東京大学出版会、１９８２）
【特許文献１】特開平９−３１８３８２号公報
【特許文献２】特開平８−３３２９３４号公報
【発明の開示】
【発明が解決しようとする課題】
【０００５】
しかしながら、特許文献１の従来技術では、重力加速度ベクトルを計測する必要があり、車体固定座標では、車両の上下加速度を計測しなければならない、というコスト上の問題点がある。
【０００６】
また、カント推定値はスピン発生時の車体スリップ角増加に伴っても増加する値である。このため、上記特許文献２の従来技術では、低μ路面で発生する速度がゆっくりとしたスピン発生時には、低周波数成分にも影響するため路面カント成分と見なされ、車体スリップ角演算が補正されてしまう結果、スピンを推定できない、という問題点がある。
【０００７】
また、予め設定された周波数以上の路面カントが存在する場合には、カントの補正が遅れるため、車体スリップ角の推定値が増大する結果、スピンを誤判定する、という問題点もある。
【０００８】
本発明は、上記問題を解決すべく成されたもので、スピンが車両運動に及ぼす影響は、比較的高周波数領域に限定される、すなわち、長時間持続する現象ではないことに着目し、スピンの影響を受けない比較的低周波数領域の車両運動における横方向の成分と車両の鉛直軸に対する姿勢角の影響の関係とから車両物理量としての姿勢角であるロール角をオブザーバに基づいて推定する車両物理量推定装置及びプログラムを提供することを目的とする。
【０００９】
また、推定されたロール角を利用して、重力加速度成分が各軸の加速度センサ値に及ぼす影響を相殺演算することによって高精度な車体スリップ角を推定することができる車両物理量推定装置及びプログラムを提供することを目的とする。
【課題を解決するための手段】
【００１０】
上記目的を達成するために本発明の車両物理量推定装置は、各輪の車輪速度に基づいて車両前後方向の車体速度である前後車体速度を推定する前後車体速度推定手段と、前記前後車体速度の推定値、及びセンサで検出された車両運動の前後加速度の検出値に基づいて、ピッチ角を推定するピッチ角推定手段と、前記前後車体速度の推定値、前記ピッチ角の推定値、並びにセンサで検出された車両運動の横加速度及び車両運動のヨー角速度の各検出値に基づいて、車両の姿勢角に応じて生じる横加速度状態量の偏差を演算する横加速度状態量偏差演算手段と、前記横加速度状態量の偏差を表す信号から着目すべき運動に対応する信号のみを通過させる処理を行うローパスフィルタと、前記ローパスフィルタ処理後の横加速度状態量の偏差を表す信号、前記ピッチ角の推定値、並びにセンサで検出されたヨー角速度及びロール角速度の各検出値に基づいて、車両物理量としての姿勢角であるロール角を推定する姿勢角推定手段と、を含んで構成したものである。
【００１１】
また、本発明のプロブラムは、コンピュータを、各輪の車輪速度に基づいて車両前後方向の車体速度である前後車体速度を推定する前後車体速度推定手段と、前記前後車体速度の推定値、及びセンサで検出された車両運動の前後加速度の検出値に基づいて、ピッチ角を推定するピッチ角推定手段と、前記前後車体速度の推定値、前記ピッチ角の推定値、並びにセンサで検出された車両運動の横加速度及び車両運動のヨー角速度の各検出値に基づいて、車両の姿勢角に応じて生じる横加速度状態量の偏差を演算する横加速度状態量偏差演算手段と、前記横加速度状態量の偏差を表す信号から着目すべき運動に対応する信号のみを通過させる処理を行うローパスフィルタと、前記ローパスフィルタ処理後の横加速度状態量の偏差を表す信号、前記ピッチ角の推定値、並びにセンサで検出されたヨー角速度及びロール角速度の各検出値に基づいて、車両物理量としての姿勢角であるロール角を推定する姿勢角推定手段と、して機能させるものである。
【００１２】
本発明では、前後車体速度の推定値、及び車両運動の前後加速度の検出値に基づいて、ピッチ角を推定し、前後車体速度の推定値、ピッチ角の推定値、並びにセンサで検出された車両運動の横加速度及び車両運動のヨー角速度の各検出値に基づいて、車両の姿勢角に応じて生じる横加速度状態量の偏差を演算する。
【００１３】
ローパスフィルタは、横加速度状態量の偏差を表す信号から着目すべき運動に対応する信号のみを通過させる処理を行い、ローパスフィルタ処理後の横加速度状態量の偏差を表す信号、ピッチ角の推定値、並びにセンサで検出されたヨー角速度及びロール角速度の各検出値に基づいて、姿勢角であるロール角が推定される。
【００１４】
ローパスフィルタによって通過させる着目すべき運動に対応する信号の領域は、時定数が数秒から数十秒以上の車両運動の影響を受けない低周波数領域とすることができる。この低周波数領域では、前後方向の車体速度は、車輪速から演算される前後車体速度の推定値と一致し、車体横速度の微分値が０という自動車固有の特性を有するので、この特性を拘束条件として積分演算の発散抑制に利用することができる。このため、スピン等の車両運動が発生する周波数領域では、加速度及び角速度を積分演算したロール角が推定演算されると共に、車両運動の影響を受けない比較的低周波数領域では、センサドリフトに伴う積分誤差を抑制するための自動車固有の拘束条件が働くオブザーバが構成され、全周波数帯で高精度な姿勢角の推定を行うことができる。
【００１５】
また、横加速度状態量の偏差は、ヨー角速度の検出値と前後車体速度の推定値との積から横加速度の検出値を減算した値で表わすことができる。
【００１６】
本発明では、前後車体速度の推定値、ピッチ角の推定値、センサで検出された車両運動の横加速度及び車両運動のヨー角速度の各検出値、ロール角の推定値、並びにセンサで検出された操舵角の検出値に基づいて、車両物理量としての車体スリップ角を推定するようにすることができる。
【００１７】
これにより、スピン抑制に必要な車体スリップ角の推定を高精度に行うことが可能となる。
【００１８】
上記のピッチ角推定手段は、前回推定されたピッチ角の推定値、センサで検出された車両運動の横加速度、センサで検出された車両運動の上下加速度、及び前記姿勢角推定手段で推定されロール角の推定値を更に加え、前記前後車体速度の推定値、センサで検出された車両運動の前後加速度、車両運動の横加速度、及び車両運動の上下加速度の各検出値、前記前回推定されたピッチ角の推定値、並びに前記ロール角の推定値に基づいて、ピッチ角を推定すると効果的である。
【００１９】
さらにピッチ角推定手段は、前回推定されたピッチ角の推定値、センサで検出された車両運動の横加速度、センサで検出された車両運動の上下加速度、前記姿勢角推定手段で推定されロール角の推定値、車体横速度の推定値、及びヨー角速度を更に加え、前後車体速度の推定値、センサで検出された車両運動の前後加速度、車両運動の横加速度、車両運動の上下加速度、ヨー角速度の各検出値、前回推定されたピッチ角の推定値、ロール角の推定値、並びに車体横速度の推定値に基づいて、ピッチ角を推定することにより更に精度良くピッチ角を推定することができる。
【００２０】
本発明においては、センサで検出された車両運動の前後加速度、及びセンサで検出された車両運動の上下加速度を更に加え、前記前後車体速度の推定値、前記ピッチ角の推定値、並びに前記車両運動の前後加速度、前記車両運動の横加速度、前記車両運動の上下加速度、及び前記車両運動のヨー角速度の各検出値に基づいて、車両の姿勢角に応じて生じる横加速度状態量の偏差を演算するようにしてもよい。
【発明の効果】
【００２１】
以上説明したように本発明によれば、高精度なロール角を推定することができるので、スピン制御に必要なスリップ角を推定することができる、という効果が得られる。
【発明を実施するための最良の形態】
【００２２】
以下、図面を参照して本発明の実施の形態を詳細に説明する。図１を参照して、鉛直軸に対する車両の姿勢角であるロール角を推定する姿勢角推定装置に本発明を適用した第１の実施の形態について説明する。
【００２３】
図１に示すように、本実施の形態の姿勢角推定装置には、各輪の車輪速度に基づいて車両の前後方向の車体速度Ｖｓ０を推定する前後速度推定手段１０が設けられている。各輪の車輪速度は、各輪に対応して設けられた車輪速センサにより検出することができ、車体速度は各輪の車輪速度、または各輪の車輪速度及び車輪速度の微分値から推定することができる。例えば、制動時には、４輪の車輪速度の最大値を車体速度として出力したり、駆動時には従動輪の車輪速度の平均値を車体速度として出力する方法が考えられる。
【００２４】
また、本実施の形態の姿勢角推定装置には、車両運動のｘｙ２軸方向の加速度である前後加速度Ｇｘ及び横加速度Ｇｙを検出して検出値に応じたセンサ信号を出力する車両に固定された加速度センサ１２、及びｘｚ２軸回りの角速度であるロール角速度Ｐ及びヨー角速度Ｒを検出して検出値に応じたセンサ信号を出力する車両に固定された角速度センサ１４が設けられている。図２に示すように、ｘ軸は車両前後方向、ｙ軸は車両幅方向、ｚ軸は車両上下方向に対応している。
【００２５】
前後速度推定手段１０及び加速度センサ１２は、前後速度推定手段１０により推定された前後車体速度の推定値及び加速度センサ１２から出力される前後加速度Ｇｘを示すセンサ信号に基づいて、後述する（８）式に従ってピッチ角θを推定するピッチ角推定手段１６に接続されている。
【００２６】
ピッチ角推定手段１６は、鉛直軸に対する車両の姿勢角（ロール角及びピッチ角）に応じて生じる横加速度状態量の偏差を後述する（９）式に従って演算する横加速度状態量偏差演算手段１８に接続されている。
【００２７】
横加速度状態量偏差演算手段１８は、横加速度状態量の偏差を表す信号から着目すべき運動に対応する信号のみ、すなわち時定数が数秒から数十秒以上のスピン及びタイヤスリップ等の車両運動の影響を受けない低周波数領域のみの信号を通過させるためのローパスフィルタ２０に接続されている。ローパスフィルタ２０は、ピッチ角推定手段１６からの推定値、角速度センサ１４からのセンサ信号、及びローパスフィルタ処理後の横加速度状態量の偏差を表す信号から車両の鉛直軸に対する姿勢角であるロール角を推定する姿勢角推定手段２２に接続されている。姿勢角推定手段２２は、横加速度状態量偏差演算手段１８に接続され、横加速度状態量偏差演算手段１８に推定されたロール角φが入力される。
【００２８】
前後速度推定手段１０、ピッチ角推定手段１６、横加速度状態量偏差演算手段１８、ローパスフィルタ２０、及び姿勢角推定手段２２は、各手段の機能を実現する１つまたは複数のコンピュータ、または１つまたは複数の電子回路で構成することができる。
【００２９】
次に、本実施の形態のオブザーバについて説明する。剛体に固定されたｘｙｚ３軸加速度、及びｘｙｚ３軸角速度を検出する３軸センサから出力されるセンサ信号と運動状態量との関係を表す剛体の運動方程式は、以下のように記述することができる。
【００３０】
【数１】
2008094375.tif 000003
【００３１】
ただし、 Ｇｘ：前後加速度、Ｇｙ：横加速度、Ｇｚ：上下加速度、Ｐ：ロール角速度、Ｑ：ピッチ角速度、Ｒ：ヨー角速度、Ｕ：前後速度、Ｖ：横速度、Ｗ：上下速度、φ：ロール角、θ：ピッチ角、g：重力加速度である。
【００３２】
なお、ここでは、図２に示すように車体の上向きをｚ軸の正方向とする右手系で座標を記述すると共に角度はオイラー角で表現している。
【００３３】
次に、オブザーバを用いた場合の自動車固有の運動の拘束条件について説明する。上記の運動方程式を利用して図３に示すオブザーバ２４を構成する場合、積分演算によって推定される速度及び角度の状態量が発散しないように測定できる物理量のフィードバックが必要となる。図３において車両運動を示すブロック２６は、図１の前後速度推定手段１０、ピッチ角推定手段１６、横加速度状態量偏差推定手段１８、ローパスフィルタ２０、及び姿勢角推定手段２２からなる部分に対応している。
【００３４】
本実施の形態では、「前後方向速度は車輪速から推定できる」など自動車運動固有の特徴をフィードバックする物理量として利用する。車輪速から車両前後方向の車体速を推定するアルゴリズムは、ＡＢＳで既に確立されており、一般にこの信号は、Ｖｓ０と表現されている。この信号を利用すると、車両前後方向の車体速度である前後速度Ｕは以下の代数方程式で表すことができる。
【００３５】
【数２】
2008094375.tif 000004
【００３６】
また、上記(６)式を微分して上記(１)式に代入することによって、下記（７）式が得られる。
【００３７】
【数３】
2008094375.tif 000005
【００３８】
ここで、Ｖｓ０の微分値は車輪速センサにより検出された検出値から求まる値であり、Ｇｘは加速度センサにより検出された検出値であることを考慮すると、上記(７)式は、運動状態の拘束条件と捉えることができる。さらに、ある程度長い時間の運動のみを考慮すると、上下速度Ｗ及びヨー角速度Ｒは微小であり無視できるので、ピッチ角θは、以下の(８)式のように近似することができる。
【００３９】
【数４】
2008094375.tif 000006
【００４０】
また、同様にスピン等の車両の不安定運動が無視できるある程度長い時間の運動を考慮する場合、上下速度Ｗ及びヨー角速度Ｒは微小であるので、(２)式は、次の(９)式のように近似することができる。
【００４１】
【数５】
2008094375.tif 000007
【００４２】
次にロール角オブザーバについて説明する。図３は、基本的な非線形オブザーバの構成を示したものである。ここでは、加速度センサ１２及び角速度センサ１４から出力されるセンサ信号を以下の（１０）式のように表現し、対象となる車両運動を下記（１１）式のように表現する。
【００４３】
【数６】
2008094375.tif 000008
【００４４】
オブザーバを構成するために測定できる物理量を
【００４５】
【数７】
2008094375.tif 000009
【００４６】
と表現すると、非線形オブザーバは、以下の非線形運動方程式によって記述することができる。
【００４７】
【数８】
2008094375.tif 000010
【００４８】
上記（９）式は、ある程度長い時間考慮したときに満足する条件であることから、オブザーバの測定量のフィードバックには、両辺をローパスフィルタ処理した値を利用する。オブザーバの出力としては、（９）式の右辺にローパスフィルタ処理した次式を用いる。
【００４９】
【数９】
2008094375.tif 000011
【００５０】
ただし、τｙは（９）式で考慮するローパスフィルタの時定数を表している。また、測定出力としては、（９）式の左辺にローパスフィルタ処理した次式を用いる。
【００５１】
【数１０】
2008094375.tif 000012
【００５２】
なお、（１６）式右辺第２項の分子は、センサで検出されたヨー角速度Ｒと前後車体速度の推定値Ｖｓ０との積からセンサで検出された横加速度Ｇｙを減算した横加速度状態量の偏差である。
【００５３】
ここで、オブザーバの状態量を下記（１７）式とし、
【００５４】
【数１１】
2008094375.tif 000013
【００５５】
フィードバックに用いるオブザーバ出力を下記（１８）式とし、
【００５６】
【数１２】
2008094375.tif 000014
【００５７】
さらに、センサ信号等から演算される車両出力を下記（１９）式として、
【００５８】
【数１３】
2008094375.tif 000015
【００５９】
ここでは、オブザーバゲインの一例として、オブザーバの安定性を確保するため、線形化を行ったときの対角成分が負の係数を持つように、次の（２０）式のように表わした。
【００６０】
【数１４】
2008094375.tif 000016
【００６１】
ただし、Ｋφｙ、Ｋｙは適切な正の定数である。したがって、ロール角を推定する非線形オブザーバは、以下の（２１）式の運動方程式で記述することができる。
【００６２】
【数１５】
2008094375.tif 000017
【００６３】
なお、上記（２１）式の導出において、（４）式右辺の第２項は微小のため無視できると仮定している。図４は、ロール角の推定結果を示したものである。図４（ａ）は、速度１００ｋｍ／ｈでレーンチェンジを行ったときのロール角推定値を、（２）式の積分結果と本実施の形態のオブザーバとを比較して示したものである。このような数秒間のレーンチェンジでは、積分誤差は無視できるため、積分結果は真値と見なすことができる。この結果から、レーンチェンジ時に±１ｄｅｇ程度の誤差で推定できていることがわかる。
【００６４】
また、図４（ｂ）は、速度６０ｋｍ／ｈでバンクを走行したときのロール角推定結果を示したものである。積分結果は長時間の誤差が蓄積されるためバンク終了後に０に戻らない。これに対し、オブザーバはフィードバックの安定化による効果によって、０に戻っていることがわかる。これらの結果は、オブザーバゲインの設定に依存するものであり、ゲインを大きくすると積分誤差の影響は減少するものの、レーンチェンジなどの急激な操作時の推定遅れが増加する。
【００６５】
以上説明したように本実施の形態によれば、スピンの影響を受けない比較的低周波数領域の車両運動における横方向成分と車両の鉛直軸に対する姿勢角の影響との関係からロール角をオブザーバに基づいて推定しているため、重力加速度ベクトルを推定することなくロール角を推定することができる。
【００６６】
また、本実施の形態では、路面カントは、鉛直軸に対する車体のロール角として高精度、高応答に推定されており、この推定値を利用して車体速度を推定すれば、車体スリップ角も路面カントの影響に対しロバストに推定ができる。
【００６７】
次に、本発明の第２の実施の形態について説明する。本実施の形態は、図５に示すように、図１に示す姿勢角推定装置に、姿勢角推定手段２２によって推定されたロール角φ、加速度センサ１２によって検出された横加速度Ｇｙ、角速度センサ１４によって検出されたヨー角速度Ｒ、前後車体速度推定手段１０によって推定された車両の前後方向の車体速度の推定値Ｖｓ０、ピッチ推定手段１６によって推定されたピッチ角θ、及び操舵角を検出する操舵角センサ２０によって検出された操舵角である前輪実舵角δｆに基づいて、車体スリップ角βを推定する車体スリップ角推定手段２６を設けたものである。
【００６８】
本実施の形態の車体スリップ角を推定する車体スリップ角オブザーバについて説明する。ここでは、車両運動の線形モデルを利用し、横加速度のモデル演算値が実測値に等しいという下記（２２）式で示される条件を拘束条件として利用している。
【００６９】
【数１６】
2008094375.tif 000018
【００７０】
ただし、β：車体スリップ角、ｍ：車両質量、ｃｆ、ｃｒ：前後輪コーナリングパワー、ｌｆ、ｌｒ：前後軸−重心間距離、δｆ：前輪実舵角である。
【００７１】
なお、（２２）式は、タイヤ特性に余裕のある線形領域のみで成立するものであることから、下記（２３）式で表わされる出力の偏差の絶対値に応じてフィードバックゲインを小さくし、限界領域でモデルの影響を小さくしていくことが必要となる。
【００７２】
【数１７】
2008094375.tif 000019
【００７３】
ところで、車体スリップ角に関する運動方程式は、上記（２）式より、下記（２４）式のように表される。
【００７４】
【数１８】
2008094375.tif 000020
【００７５】
上下速度Ｗが微小であることから、（２４）式は、左辺第３項を無視することによって、下記（２５）式に近似することができる。
【００７６】
【数１９】
2008094375.tif 000021
【００７７】
次に、ロール角オブザーバのその他の実施の形態について説明する。この実施の形態は、センサで検出された車両運動の前後加速度Ｇｘ、センサで検出された車両運動の上下加速度Ｇｚを更に加え、前後車体速度の推定値Ｖｓ０、ピッチ角の推定値θ、並びに車両運動の前後加速度Ｇｘ、車両運動の横加速度Ｇｙ、車両運動の上下加速度Ｇｚ、及び車両運動のヨー角速度Ｒの各検出値に基づいて、車両の姿勢角に応じて生じる横加速度状態量の偏差を演算するようにしたものである。
【００７８】
本実施の形態では、ロール角オブザーバに用いるセンサ信号として下記（２６）式に示す信号を用いている。
【００７９】
【数２０】
2008094375.tif 000022
【００８０】
すなわち、上記（１０）式のセンサ信号にセンサで検出された上下加速度Ｇｚを示す信号を追加した。この場合、車両固有の特徴として、一般的な道路勾配を考慮して、鉛直軸方向の加速度は、重力加速度に略一致しているという条件を利用する。この条件は、次の（２７）式の代数方程式によって記述することができる。
【００８１】
【数２１】
2008094375.tif 000023
【００８２】
（２７）式は、（９）式同様、ある程度長い時間考慮したときに満足する条件であることから、オブザーバの測定量のフィードバックには、両辺をローパスフィルタ処理した値を利用する。オブザーバの出力としては、（２７）式の右辺にローパスフィルタ処理した次の（２８）式を用いる。
【００８３】
【数２２】
2008094375.tif 000024
【００８４】
ただし、τｇは（２７）式で考慮するローパスフィルタの時定数を表している。また、（２７）式の左辺は定数であることから、ローバスフィルタ処理は不要である。
【００８５】
ここで、オブザーバの状態量を下記（２９）式とし、
【００８６】
【数２３】
2008094375.tif 000025
【００８７】
フィードバックに用いるオブザーバ出力を下記（３０）式とし、
【００８８】
【数２４】
2008094375.tif 000026
【００８９】
さらに、センサ信号等から演算される車両出力を下記（３１）式として
【００９０】
【数２５】
2008094375.tif 000027
【００９１】
【数２６】
2008094375.tif 000028
【００９２】
ただし、Ｋφｙ、Ｋφｇ、Ｋｙ、Ｋｇは適切な正の定数である。したがって、ロール角を推定する非線形オブザーバは、下記（３３）式の運動方程式で記述することができる。なお、（３３）式には、上記（１６）式で説明したセンサで検出されたヨー角速度Ｒと前後車体速度の推定値Ｖｓ０との積からセンサで検出された横加速度Ｇｙを減算した横加速度状態量の偏差が含まれている。
【００９３】
【数２７】
2008094375.tif 000029
【００９４】
図７は、速度６０ｋｍ／ｈでバンクを走行したときのロール角推定結果を示したものである。ここでは、センサ誤差の影響を調査するためにロール角速度に−１．０ｄｅｇ／ｓのドリフト誤差を与えてオブザーバ演算を実施している。また、比較のために上下加速度信号を用いない構成での推定結果と、ロール角速度誤差を与えないときの積分による推定結果を示す。
【００９５】
破線は積分結果（センサ誤差なし）を示し、実線は上下加速度利用オブザーバ（ロール角速度センサ誤差−１．０ｄｅｇ／ｓ）を示し、一点鎖線は上下加速度なしオブザーバ（ロール角速度センサ誤差＝−１．０ｄｅｇ／ｓ）を示している。
【００９６】
ロール角速度誤差を与えないときの積分による推定結果を真値と仮定すると、上下加速度信号の利用により、推定結果が真値に近づく、すなわち、センサ誤差に対するロバスト性が向上することがわかる。
【００９７】
上記の第２の実施の形態において、前後速度推定手段１０、ピッチ角推定手段１６、横加速度状態量偏差演算手段１８、ローパスフィルタ２０、姿勢角推定手段２２、及び車体スリップ角推定手段２６を、これらの手段の機能を実現するコンピュータで構成し、車体スリップ角を演算するようにすると、コンピュータを用いたプログラムによる情報処理は図８に示す手順で実行される。このプログラムは、コンピュータのＲＯＭ等の記録媒体に記録される。
【００９８】
この手順を説明すると、ステップ１００で上記で説明したように各輪の車輪速度に基づいて前後車体速度を推定し、ステップ１０２で前後車体速度の推定値、及びセンサで検出された車両運動の前後加速度の検出値に基づいて、ピッチ角を推定し、ステップ１０４において、前後車体速度の推定値、ピッチ角の推定値、並びにセンサで検出された車両運動の横加速度及び車両運動のヨー角速度の各検出値に基づいて、車両の姿勢角に応じて生じる横加速度状態量の偏差を演算する。
【００９９】
次のステップ１０６では、横加速度状態量の偏差を表す信号から着目すべき運動に対応する信号のみを通過させるローパスフィルタ処理を行い、ステップ１０８においてローパスフィルタ処理後の横加速度状態量の偏差を表す信号、ピッチ角の推定値、並びにセンサで検出されたヨー角速度及びロール角速度の各検出値に基づいて、ロール角を推定する。
【０１００】
次のステップ１１０では、前後車体速度の推定値、ピッチ角の推定値、センサで検出された車両運動の横加速度及び車両運動のヨー角速度の各検出値、ロール角の推定値、並びにセンサで検出された操舵角の検出値に基づいて、車体スリップ角を推定する。
【０１０１】
なお、第１の実施の形態の手段の機能を実現するコンピュータを構成すると、コンピュータを用いたプログラムによる情報処理は、図８からステップ１１０を削除した手順になる。また、（２６）式に示すセンサ信号を用いるロール角オブザーバについても用いるセンサ信号が異なるのみで、図８と同様に処理することができる。
【０１０２】
次に、本発明の第３の実施の形態について説明する。上記（７）式は、「前後運動の時間微分と前後加速度の差は、ピッチ角による重力成分に等しい」ということを示しているが、通常の車両走行状態では、鉛直方向には大きな加速度の変化はないので、上記のロール角オブザーバのその他の実施の形態で説明したように「鉛直方向の加速度は、重力加速と等しい」ということができるので、上記（２７）と同様の以下の関係が成立する。
【０１０３】
【数２８】
2008094375.tif 000030
【０１０４】
本実施の形態は、上記（７）式で示される関係に（３４）式で示される関係を更に用いてピッチ角θの推定精度を更に向上させたものである。
【０１０５】
ノイズ等の影響を考慮すると、（７）式及び（３４）式を同時に満足するピッチ角θが存在することを保証することができない。このため、本実施の形態では、（７）式及び（３４）式の誤差を最小にするθを求める。この誤差を最小にするためには、前ステップで求めたθの回りで線形化し、擬似逆行列を用いて演算すればよい。
【０１０６】
まず、（７）式及び（３４）式を線形化して行列で表わすと、以下の式が得られる。
【０１０７】
【数２９】
2008094375.tif 000031
【０１０８】
ただし、θ０は、θの前回値であり、（７）式のＱＷ、ＲＶは、微小であることから無視するものとする。上記（３５）式を次の（（３６）式のように表現すると、θは以下の（３７）式で求めることができる。
【０１０９】
【数３０】
2008094375.tif 000032
【０１１０】
なお、本実施の形態では、演算値の安定性を確保するために１次のローパスフィルタを通した以下の演算を行う。
【０１１１】
【数３１】
2008094375.tif 000033
【０１１２】
ただし、Ｔはサンプル時間、τは例えば、０．１ｓの時定数である。
【０１１３】
図９は、ピッチ角推定手段１６に代えてピッチ角推定手段３０を設けた本実施の形態の姿勢角推定装置を示すブロック図であり、ピッチ角推定手段３０は、第1の実施の形態及び第２の実施の形態で説明した車体速度の推定値ＶＳＯ及びセンサで検出された車両運動の前後加速度Ｇｘに、前回推定されたピッチ角の推定値θ０、センサで検出された車両運動の横加速度Ｇｙ、センサで検出された車両運動の上下加速度Ｇｚ、及び姿勢角推定手段で推定されロール角φの推定値を更に加え、前後車体速度の推定値ＶＳＯ、センサで検出された車両運動の前後加速度Ｇｘ、車両運動の横加速度Ｇｙ、及び車両運動の上下加速度Ｇｚの各検出値、前回推定されたピッチ角の推定値θ０、並びにロール角φの推定値に基づいて、上記（３７）式に従ってピッチ角θを推定する。
【０１１４】
上記の第３の実施の形態では、ヨー角速度Ｒは微小であることから０と近似してＲＶを無視して演算した例について説明したが、ヨー角速度Ｒを無視することなく、車体スリップ角推定によって推定したスリップ角と車体前後方向の速度とを用いて推定した車体横速度Ｖを用いることにより、更にピッチ角の推定精度を更に向上することができる。
【０１１５】
以下、ヨー角速度Ｒを無視しない場合の本発明の第４の実施の形態について説明する。
【０１１６】
ヨー角速度Ｒを無視しない場合、上記（３５)式は、以下に示すように表わすことができる。
【０１１７】
【数３２】
2008094375.tif 000034
【０１１８】
従って、上記第３の実施の形態と同様に表現すると、θは以下の（４１）式で求めることができる。
【０１１９】
【数３３】
2008094375.tif 000035
【０１２０】
なお、本実施の形態においても第３の実施の形態と同様に、演算値の安定性を確保するために１次のローパスフィルタを通した以下の演算を行う。
【０１２１】
【数３４】
2008094375.tif 000036
【０１２２】
ただし、Ｔはサンプル時間、τは例えば、０．１ｓの時定数である。
【０１２３】
図１０は、第３の実施の形態のピッチ角推定手段３０に代えてピッチ角推定手段３２を設けると共に、車体スリップ角推定手段で推定されたスリップ角βに基づいて、車体横速度Ｖを推定する横速度推定手段３４を設けた本実施の形態の姿勢角推定装置を示すブロック図である。ピッチ角推定手段３２には、第３の実施の形態のピッチ角推定手段３０への入力に加えて、車体横速度Ｖの推定値及び角速度センサ１４で検出されたヨー角速度Ｒが入力されている。
【０１２４】
ピッチ角推定手段３２は、第1の実施の形態及び第２の実施の形態で説明した車体速度の推定値ＶＳＯ及びセンサで検出された車両運動の前後加速度Ｇｘに、前回推定されたピッチ角の推定値θ０、センサで検出された車両運動の横加速度Ｇｙ、センサで検出された車両運動の上下加速度Ｇｚ、及び姿勢角推定手段で推定されロール角φの推定値、車体横速度Ｖの推定値、及びヨー角速度Ｒを更に加え、前後車体速度の推定値ＶＳＯ、センサで検出された車両運動の前後加速度Ｇｘ、車両運動の横加速度Ｇｙ、車両運動の上下加速度Ｇｚ、及びヨー角速度Ｒの各検出値、前回推定されたピッチ角の推定値θ０、ロール角φの推定値、並びに車体横速度Ｖの推定値に基づいて、上記（４２）式に従ってピッチ角θを推定する。
【０１２５】
図１１は、本実施の形態で推定したロール角及びピッチ角を示すものである。
一点鎖線はレーザ変位計で計測した真値、細線は３軸加速度センサを使用したときの値、太い実線は２軸角速度センサと３軸加速度センサを使用した本実施の形態の値、破線は第１の実施の形態の値である。第１の実施の形態の推定結果と比較すると、大幅に精度が向上していることが理解できる。
【０１２６】
なお、上記第４の実施の形態では、車体スリップ角推定手段２６を設け、スリップ角から車体横加速度を推定する例について説明したが、車体スリップ角推定手段を用いることなく車体横速度を推定するようにしてもよい。
【０１２７】
上記第３の実施の形態においても前後速度推定手段１０、ピッチ角推定手段３０、横加速度状態量偏差演算手段１８、ローパスフィルタ２０、及び姿勢角推定手段２２は、各手段の機能を実現する１つまたは複数のコンピュータ、または１つまたは複数の電子回路で構成することができ、コンピュータを用いたプログラムによる情報処理は、図８のステップ１０２において上記で説明したようにピッチ角を推定すると共に、図８からステップ１１０を削除した手順になる。また、第４の実施の形態においても、前後速度推定手段１０、ピッチ角推定手段３２、横加速度状態量偏差演算手段１８、ローパスフィルタ２０、姿勢角推定手段２２、及び車体スリップ角推定手段２６は、各手段の機能を実現する１つまたは複数のコンピュータ、または１つまたは複数の電子回路で構成することができ、コンピュータを用いたプログラムによる情報処理は、図８のステップ１０２において上記で説明したようにピッチ角を推定する手順になる。
【０１２８】
また、第３及び第４の実施の形態においてもセンサ信号が異なるのみで、上記で説明したオブザーバを同様にもちいることができるものである。
【図面の簡単な説明】
【０１２９】
【図１】本発明の第１の実施の形態を示すブロック図である。
【図２】本実施の形態の座標系を示す説明図である。
【図３】本発明の各実施の形態におけるオブザーバを示すブロック図である。
【図４】第１の実施の形態におけるロール角の推定結果を示す線図である。
【図５】本発明の第２の実施の形態を示すブロック図である。
【図６】非線形オブザーバゲインを示すグラフである。
【図７】バンク走行時のロール角推定結果を示す線図である。
【図８】本発明の第２の実施の形態の処理を示す流れ図である。
【図９】本発明の第３の実施の形態の処理を示す流れ図である。
【図１０】本発明の第４の実施の形態の処理を示す流れ図である。
【図１１】本発明の第４の実施の形態のロール角及びピッチ角の推定結果を真値等と比較して示す線図である処理を示す流れ図である。
【符号の説明】
【０１３０】
１０    前後速度推定手段
１２    加速度センサ
１４    角速度センサ
１６    ピッチ角推定手段
２０    ローパスフィルタ
２２    姿勢角推定手段
２４    オブザーバ
【図１】
2008094375.tif 000037
【図２】
2008094375.tif 000038
【図３】
2008094375.tif 000039
【図４】
2008094375.tif 000040
【図５】
2008094375.tif 000041
【図６】
2008094375.tif 000042
【図７】
2008094375.tif 000043
【図８】
2008094375.tif 000044
【図９】
2008094375.tif 000045
【図１０】
2008094375.tif 000046
【図１１】
2008094375.tif 000047